(57)【要約】      （修正有）【課題】シーリングライトのランプカバーが落下した後の大きな安全上のリスクを回避し、安全性が向上するシーリングライトを提供する。【解決手段】シーリングライトは、台座１と、台座の一側に設けられた駆動ユニットと、台座に設けられた取付ユニット３と、台座に設けられた発光ユニットと、台座に固定接続され、発光ユニットを覆う絶縁透光カバー５と、台座に着脱可能に接続されたランプカバー６と、を備え、絶縁透光カバーと発光ユニットは、ランプカバーと台座との間に位置する。ランプカバーと台座との間は、比較的簡単な取り外し可能な構造、例えば、ネジ止め及び回転係着等の接続形態となっている。ランプカバーが大きな外力を受けて脱落すると、絶縁透光カバーが依然として台座に固定接続されて発光ユニットを覆って、発光ユニットは電源との接続箇所を有しているので、シーリングライトの電気的に危険な主要部が絶縁透光カバーで覆われ、外部に露出することがなく、誤接触が回避される。【選択図】図２
0003231118.tif 000002
【実用新案登録請求の範囲】
【請求項１】
台座と、前記台座の一側に設けられた駆動ユニットと、前記台座に設けられた取付ユニットと、前記台座に設けられた発光ユニットと、前記台座に固定接続され、前記発光ユニットを覆う絶縁透光カバーと、前記台座に着脱可能に接続されたランプカバーと、を備え、前記絶縁透光カバーと前記発光ユニットは、前記ランプカバーと前記台座との間に位置することを特徴とするシーリングライト。
【請求項２】
前記絶縁透光カバーの対向する両側の内壁には、取付切欠が開設され、前記発光ユニットは、前記取付切欠内に係止する光源板と、前記光源板に取り付けられた発光素子と、を備えていることを特徴とする請求項１に記載のシーリングライト。
【請求項３】
前記台座は鋼材であり、前記台座にはボスを有し、前記発光ユニットは前記ボスに当接していることを特徴とする請求項１又は２に記載のシーリングライト。
【請求項４】
前記絶縁透光カバーには、接続貫通孔が開設され、前記台座には、接続ネジ孔が開設され、前記絶縁透光カバーと前記台座との間には、前記接続貫通孔を貫通して前記接続ネジ孔に螺合する接続ネジが設けられていることを特徴とする請求項１又は２に記載のシーリングライト。
【請求項５】
前記取付ユニットは、前記台座に固定接続される底蓋と、前記底蓋に連結された位置決めスナップと、前記位置決めスナップに連結された接続端子とを備えていることを特徴とする請求項１に記載のシーリングライト。
【請求項６】
前記台座の中部には、取付孔が開設されており、前記底蓋は、前記取付孔内に取り付けられていることを特徴とする請求項５に記載のシーリングライト。
【請求項７】
前記駆動ユニットは、前記台座に連結された駆動上蓋と、前記駆動上蓋に連結され、前記駆動上蓋と前記台座との間に位置する駆動下蓋と、駆動板と、を備え、前記駆動上蓋と前記駆動下蓋は囲んで駆動ケースを形成し、前記駆動板は、前記駆動ケース内に設けられていることを特徴とする請求項１に記載のシーリングライト。
【請求項８】
前記駆動板は、前記駆動下蓋に固定接続され、前記駆動板と前記駆動下蓋との間には、マイカ片が設けられていることを特徴とする請求項７に記載のシーリングライト。
【請求項９】
前記駆動上蓋には、前記駆動上蓋の縁に沿って均一に分布する複数の放熱孔が開設されていることを特徴とする請求項７に記載のシーリングライト。
【請求項１０】
前記駆動板には、無線信号受信器が設けられ、前記駆動下蓋には、前記無線信号受信器に対応する第１逃げ孔が開設され、前記台座には、前記第１逃げ孔に対応する第２逃げ孔が開設され、前記第１逃げ孔内には、光フィルタカバーが取り付けられている
ことを特徴とする請求項７に記載のシーリングライト。
【考案の詳細な説明】
【技術分野】
【０００１】
本考案は照明装置分野に関し、特にシーリングライトに関する。
【背景技術】
【０００２】
従来のシーリングライトは、取り付けを容易にするため、また、後続の点検や部品の交換を容易にするために、ランプカバーとランプ本体とを速やかに取り外し可能な構造に設置するのが一般的である。例えばネジ止めや、便利なスナップフィット等が挙げられる。ランプカバーとランプ本体は容易に取り外すことができるため、使用中に外力を受けて落下しやすくなり、ランプ本体の発光素子が露出してしまう。発光素子には、通常、電源が接続されているため、一定の危険度がある。ランプカバーの落下が発見されないと、大きな安全上のリスクがあり、特に未成年者の誤接触が発生しやすい。
【考案の概要】
【考案が解決しようとする課題】
【０００３】
本考案の目的は、シーリングライトを提供し、従来技術におけるシーリングライトのランプカバーが落下した後に大きな安全上のリスクがあるという問題を解決しようとするものである。
【課題を解決するための手段】
【０００４】
この目的を達成するために、本考案は以下の手段を採用する。
【０００５】
台座と、前記台座の一側に設けられた駆動ユニットと、前記台座に設けられた取付ユニットと、前記台座に設けられた発光ユニットと、前記台座に固定接続され、前記発光ユニットを覆う絶縁透光カバーと、前記台座に着脱可能に接続されたランプカバーと、を備え、前記絶縁透光カバーと前記発光ユニットは、前記ランプカバーと前記台座との間に位置する、シーリングライト。
【０００６】
さらに、前記絶縁透光カバーの対向する両側の内壁には、取付切欠が開設されており、前記発光ユニットは、前記取付切欠内に係止する光源板と、前記光源板に取り付けられた発光素子と、を備えている。
【０００７】
さらに、前記台座は鋼材であり、前記台座にはボスを有し、前記発光ユニットは前記ボスに当接している。
【０００８】
さらに、前記絶縁透光カバーには、接続貫通孔が開設され、前記台座には、接続ネジ孔が開設され、前記絶縁透光カバーと前記台座との間には、前記接続貫通孔を貫通して前記接続ネジ孔に螺合する接続ネジが設けられている。
さらに、前記取付ユニットは、前記台座に固定接続される底蓋と、前記底蓋に連結された位置決めスナップと、前記位置決めスナップに連結された接続端子とを備えている。
【０００９】
さらに、前記台座の中部には、取付孔が開設されており、前記底蓋は、前記取付孔内に取り付けられている。
【００１０】
さらに、前記駆動ユニットは、前記台座に連結された駆動上蓋と、前記駆動上蓋に連結され、前記駆動上蓋と前記台座との間に位置する駆動下蓋と、駆動板と、を備え、前記駆動上蓋と前記駆動下蓋は囲んで駆動ケースを形成し、前記駆動板は、前記駆動ケース内に設けられている。
【００１１】
さらに、前記駆動板は、前記駆動下蓋に固定接続され、前記駆動板と前記駆動下蓋との間には、マイカ片が設けられている。
さらに、前記駆動上蓋には、前記駆動上蓋の縁に沿って均一に分布する複数の放熱孔が開設されている。
【００１２】
さらに、前記駆動板には、無線信号受信器が設けられ、前記駆動下蓋には、前記無線信号受信器に対応する第１逃げ孔が開設され、前記台座には、前記第１逃げ孔に対応する第２逃げ孔が開設され、前記第１逃げ孔内には、光フィルタカバーが取り付けられている。
【００１３】
さらに、前記光フィルタカバーは、前記第１逃げ孔の内壁に係止されている。
【考案の効果】
【００１４】
シーリングライトの内部を操作し易くするために、ランプカバーと台座との間は、比較的簡単な取り外し可能な構造、例えば、ネジ止め及び回転係着等の接続形態となっている。ランプカバーが大きな外力を受けて脱落すると、絶縁透光カバーが依然として台座に固定接続されて発光ユニットを覆って、発光ユニットは電源との接続箇所を有しているので、シーリングライトの電気的に危険な主要部が絶縁透光カバーで覆われ、外部に露出することがなく、誤接触が回避され、シーリングライト使用の安全性が向上する。
【図面の簡単な説明】
【００１５】
本考案の実施例における技術的解決手段をより明確に説明するために、以下に実施例や従来技術の説明に必要な図面を簡単に説明する。明らかに、以下に記載する図面は本考案のいくつかの実施例に過ぎず、当業者であれば、創造的な労力を要することなく、これらの図面に基づいて他の図面を得ることができる。
【図１】本考案の実施例におけるシーリングライトの構造概略図である。
【図２】図１のシーリングライトの内部構造を示す概略図である。
【図３】図１のシーリングライトの分解図である。
【図４】図１のシーリングライトの断面図である（ランプカバーは図示していない）。
【考案を実施するための形態】
【００１６】
本考案の目的、技術的解決手段および利点をより明確にするために、以下に図面および実施例を参照して、本考案をさらに詳細に説明する。なお、ここに記載された具体的な実施例は、あくまでも本考案を解釈するためのものであり、本考案を限定するものではない。
【００１７】
なお、素子が「固定」または「設けられる」と称される場合には、他方の素子上に直接または間接的に配置されていてもよい。一方の素子が他方の素子に「接続されている」と記載されている場合、他方の素子に直接的に接続されていてもよいし、他方の素子に間接的に接続されていてもよい。
【００１８】
なお、ここでいう「長さ」、「幅」、「上」、「下」、「前」、「後」、「左」、「右」、「鉛直」、「水平」、「頂」、「底」「内」、「外」等の示す方位や位置関係は、図面に示した方位や位置関係に基づくものであり、装置や素子が特定の方位を有していなければならず、特定の方位で構成されて動作しなければならないことを明示したり暗示したりするためのものではなく、本考案の説明を容易にするためのものであり、本考案を限定するものと解されるべきではない。
【００１９】
また、「第１」、「第２」という用語は、単に説明のためのものであり、相対的な重要性または指示された技術的特徴の数を明示的又は暗示的に示すものであると理解すべきではない。これにより、「第１」、「第２」が限定されている特徴は、当該特徴を明示的または暗示的に一つまたは複数含むことができる。なお、本考案の説明において、「複数」とは、特に明示した場合を除き、二つ又は二以上であることを意味する。
【００２０】
以下に具体的な実施例を参照して本考案の実現を詳細に説明する。
【００２１】
図１〜図３に示すように、本考案実施例のシーリングライトは、台座１と、台座１の一側に設けられた駆動ユニット２と、台座１に設けられた取付ユニット３と、台座１に設けられた発光ユニット４と、台座１に固定接続され、発光ユニット４を覆う絶縁透光カバー５と、台座１に着脱可能に接続されたランプカバー６と、を備え、絶縁透光カバー５と発光ユニット４は、ランプカバー６と台座１との間に位置している。
【００２２】
本考案の実施例では、台座１、駆動ユニット２、取付ユニット３、発光ユニット４及び絶縁透光カバー５は、シーリングライトのランプ本体とし、ランプカバー６は、台座１に連結され、絶縁透光カバー５等の部材を覆うようになっており、シーリングライトの内部を操作し易くするために、ランプカバー６と台座１との間は、比較的簡単な取り外し可能な構造、例えば、ネジ止め及び回転係着等の接続形態となっている。ランプカバー６が大きな外力を受けて脱落すると、絶縁透光カバー５が依然として台座１に固定接続されて発光ユニット４を覆って、発光ユニット４は電源との接続箇所を有しているので、シーリングライトの電気的に危険な主要部が絶縁透光カバー５で覆われ、外部に露出することがなく、誤接触が回避され、シーリングライト使用の安全性が向上する。
【００２３】
さらに、図４を参照して、本考案の提供するシーリングライトの別の具体的な実施例として、絶縁透光カバー５の対向する両側の内壁には、取付切欠５１が開設されており、発光ユニット４は、取付切欠５１内に係止する光源板４１と、光源板４１に取り付けられた発光素子４２とを備えている。シーリングライトの組立時には、まず、発光ユニット４の光源板４１を絶縁透光カバー５内に取り付け、さらに絶縁透光カバー５と台座１とを固定接続することで、シーリングライト組立の手順を簡略化することができる。絶縁透光カバー５は、ポリカーボネートのカバーであってもよい。
【００２４】
さらに、図３を参照して、本考案が提供するシーリングライトの別の具体的な実施例として、台座１が鋼材であり、台座１はボス１１を有し、発光ユニット４がボス１１に当接することで、台座１のボス１１が発光ユニット４の熱を速やかに外部に伝達することができ、発光ユニット４の温度が高すぎることを回避することができる。
【００２５】
さらに、図３を参照して、本考案の提供するシーリングライトの別の具体的な実施例として、絶縁透光カバー５には接続貫通孔５２が開設されており、台座１には接続ネジ孔１２が開設されており、絶縁透光カバー５と台座１との間には接続ネジが設けられており、接続ネジは接続貫通孔５２を貫通して接続ネジ孔１２にネジ接続されている。接続ネジにより絶縁透光カバー５と台座１とをロックし，発光ユニット４が台座１に緊密に接触することを保証することができ，発光ユニット４が発生した熱を台座１にタイムリーに伝達し、台座１により放散することができる。
【００２６】
さらに、図３を参照して、本考案の提供するシーリングライトの別の具体的な実施例として、取付ユニット３は、台座１に固定接続された底蓋３１と、底蓋３１に連結された位置決めスナップ３２と、位置決めスナップ３２に連結された接続端子３３とを備えている。位置決めスナップ３２には、突起部が設けられており、対向するランプベースに係止されており、地震や揺れ等に遭遇したときに、シーリングライトが自身でランプベースから緩めて落下しないようになっている。底蓋３１は、透明カバーであってもよく、ネジで台座１にロックすることにより、シーリングライトをランプベースに装着したときにランプベースの状態を見やすい。
【００２７】
さらに、図３を参照して、本考案が提供するシーリングライトの別の具体的な実施例としては、台座１の中部に取付孔１３が開設されており、底蓋３１が取付孔１３内に取り付けられており、シーリングライトの取付時にその中部の底蓋３１がランプベースに連結されており、取り付け後の力受けが均一となり、取り付けの安定性が保証される。
【００２８】
さらに、図３を参照して、本考案が提供するシーリングライトの他の具体的な実施例として、駆動ユニット２は、台座１に連結された駆動上蓋２１と、駆動上蓋２１に連結され、駆動上蓋２１と台座１との間に位置する駆動下蓋２２と、駆動板２３とを備え、駆動上蓋２１と駆動下蓋２２とが囲んで駆動ケースを形成し、駆動板２３が駆動ケース内に設けられている。駆動ユニット２の取付時には、駆動板２３を駆動下蓋２２と駆動上蓋２１との間にセットし、駆動上蓋２１と駆動下蓋２２とを係止などの形態で連結して駆動ケースとして取り囲み、さらに駆動上蓋２１を台座１に固定接続し、駆動ユニット２の取付を完了する。
【００２９】
さらに、図３を参照して、本考案が提供するシーリングライトの別の具体的な実施例として、駆動板２３が駆動下蓋２２に固定接続され、駆動板２３と駆動下蓋２２との間にマイカ片２４が設けられている。マイカ片２４は、良好な絶縁性能を有しており、駆動板２３の使用時の安全性を保証している。
【００３０】
さらに、図３を参照して、本考案が提供するシーリングライトの別の具体的な実施例としては、駆動上蓋２１に複数の放熱孔２１１が開設されており、放熱孔２１１が駆動上蓋２１の縁に沿って均一に分布しており、空気対流が増加し、駆動ユニット２の全体の温度が低下し、駆動ユニット２が適正な温度で作動するようになっている。
【００３１】
さらに、図３を参照して、本考案が提供するシーリングライトの別の具体的な実施例として、駆動板２３には無線信号受信器２３１が設けられ、駆動下蓋２２には無線信号受信器２３１に対応する第１逃げ孔２２１が開設され、台座１には第１逃げ孔２２１に対応する第２逃げ孔１４が開設され、第１逃げ孔２２１内には光フィルタカバー２５が取り付けられている。無線信号受信器２３１は、制御信号を受信するためのものである。光フィルタカバー２５は第１の逃げ孔２２１内に位置し、かつ第１の逃げ孔２２１を完全に塞ぐことのないようにセットされ、駆動板２３の無線信号受信器２３１に制御信号を伝搬させることができ、光フィルタカバー２５は、駆動ユニット２内に指が突入して駆動板２３に接触することを回避し、シーリングライトの安全性をより向上させることができる。
【００３２】
さらに、図４を参照して、本考案の提供するシーリングライトの別の具体的な実施例として、光フィルタカバー２５は、第１逃げ孔２２１の内壁に係止されている。
【００３３】
別の具体的な実施例における態様は、他の実施例に加えてさらに改良された実現可能な態様であってもよいことが理解されよう。
【００３４】
本考案の上記実施の形態は、本考案の説明を明確にするための例示に過ぎず、本考案の実施の形態を限定するものではないことは言うまでもない。当業者であれば、上記説明に加えて、他の異なる形態の変化や変動をすることも可能である。ここで全ての実施例を網羅することはできないし、必要もない。本出願の精神と原則内で行われたいかなる修正、均等置換及び改善などは，いずれも本考案の請求項の保護範囲内に含まれるべきである。
【符号の説明】
【００３５】
１  台座
２  駆動ユニット
３  取付ユニット
４  発光ユニット
５  絶縁透光カバー
６  ランプカバー
１１  ボス
１２  接続ネジ孔
１３  取付孔
１４  第２逃げ孔
２１  駆動上蓋
２２  駆動下蓋
２３  駆動板
２４  マイカ片
２５  光フィルタカバー
３１  底蓋
３２  位置決めスナップ
３３  接続端子
４１  光源板
４２  発光素子
５１  取付切欠
５２  接続貫通孔
２１１  放熱孔
２２１  第１逃げ孔
２３１  無線信号受信器
【図１】
0003231118.tif 000003
【図２】
0003231118.tif 000004
【図３】
0003231118.tif 000005
【図４】
0003231118.tif 000006